(57)【特許請求の範囲】
【請求項１】
印字後の印字媒体の切断、巻取り又は台紙からの剥離等の処理が行われ、プリンタ本体側に装着可能な、プリンタのオプションユニットであって、
前記処理が行われると共に、一方へと突出した本体側壁状部が形成されたユニット本体部と、
該ユニット本体部の前記本体側壁状部の側面と接触する側面を持つ基端側壁状部が、突出して形成されると共に、該基端側壁状部及び前記本体側壁状部を挿通する固着部材により、前記ユニット本体部が着脱自在に固着される、プリンタ本体側に装着可能なユニット基端部と
を備えたことを特徴とするプリンタのオプションユニット。
【請求項２】
前記ユニット基端部には、
前記基端側壁状部が突出する向きに開口され、前記ユニット本体部に設けられたモータを制御するための、プリンタ本体側からの制御信号が、ユニット本体部側へと伝えられる一のコネクタが設けられ、
前記ユニット本体部には、
前記本体側壁状部が突出する向きに開口され、前記一のコネクタとの嵌合状態で、プリンタ本体側からの前記制御信号が、前記モータへと導通される他のコネクタが設けられることを特徴とする請求項１に記載のプリンタのオプションユニット。
【請求項３】
前記基端側壁状部が、２条並行して形成されると共に、前記一のコネクタが、前記基端側壁状部の２つの内側面の間に設けられ、
前記本体側壁状部が、前記基端側壁状部の２つの内側面の間に差し込まれるように形成されると共に、前記他のコネクタが、該本体側壁状部が断続された位置に設けられることを特徴とする請求項２に記載のプリンタのオプションユニット。
【請求項４】
前記ユニット基端部は、前記ユニット本体部が外方へと回転可能に、プリンタ本体側に支持されることを特徴とする請求項１乃至請求項３のいずれか一項に記載のプリンタのオプションユニット。
【請求項５】
請求項１乃至請求項４のいずれか一項に記載のプリンタのオプションユニットを備えたことを特徴とするプリンタ。
【発明の詳細な説明】
【技術分野】
【０００１】
本発明は、プリンタ本体側に装着可能なオプションユニットに係り、特に、印字を行う印字部から送られてくる印字後の印字媒体をカッタにより切断するカッタユニット等に関する。
【背景技術】
【０００２】
従来から知られたこの種のカッタユニットの一つは、厚板状のカッタユニットを下方にスライドさせつつプリンタ本体側に挿入していくことにより、カッタユニットをプリンタ本体側へと装着するようになっている（例えば、特許文献１参照）。即ち、カッタユニットの左右両端には、それぞれ、カッタユニットの挿入方向へと延びた被案内部が設けられていて、プリンタ本体側には、各被案内部を挟むように平行に形成された２本の突出部からなる案内部が設けられている。ユーザは、カッタユニットを、プリンタ本体側に取り付けたりプリンタ本体側から取り外したりするときに、カッタユニットの被案内部を、プリンタ本体の２本の突出部の間で摺動させていくようになっていた。
【０００３】
また、カッタユニットの他の一つは、プリンタ本体の前方に取り付けられ、そのカッタユニットの下部を支点としてプリンタ本体の前方外側へと回動可能になっている（特許文献２参照）。
【０００４】
【特許文献１】特開２０００−７９５９７号公報（段落００１３，００１６，００２１、図３，６等）
【特許文献２】特開２００４−３３０４１９号公報（段落００１７、図５，６等）
【発明の開示】
【発明が解決しようとする課題】
【０００５】
しかしながら、特許文献１のカッタユニットでは、カッタユニットをプリンタ本体に摺動させる部分が長くなっている。そのため、製品の精度によっては、カッタユニットの着脱が容易でないことがあり、例えば、印字部に近接する部分でジャム（紙詰まり）が発生した場合に、ユーザが、このカッタユニットを取り外そうと無理に力を入れて、カッタユニットを破損させる恐れがあった。特許文献２のカッタユニットによると、ユーザは、ジャムの解消等をするための作業スペースを十分に確保することができず、作業がし辛いといったことがあった。
【０００６】
本発明の目的は、上記課題を解決できるオプションユニット等を提供することである。
【課題を解決するための手段】
【０００７】
請求項１に係るプリンタのオプションユニットは、印字後の印字媒体の切断、巻取り又は台紙からの剥離等の処理が行われ、プリンタ本体側に装着可能な、プリンタのオプションユニットであって、前記処理が行われると共に、一方へと突出した本体側壁状部が形成されたユニット本体部と、該ユニット本体部の前記本体側壁状部の側面と接触する側面を持つ基端側壁状部が、突出して形成されると共に、該基端側壁状部及び前記本体側壁状部を挿通する固着部材により、前記ユニット本体部が着脱自在に固着される、プリンタ本体側に装着可能なユニット基端部とを備えたことを特徴とする。
請求項２に係るプリンタのオプションユニットは、請求項１に係るプリンタのオプションユニットにおいて、前記ユニット基端部には、前記基端側壁状部が突出する向きに開口され、前記ユニット本体部に設けられたモータを制御するための、プリンタ本体側からの制御信号が、ユニット本体部側へと伝えられる一のコネクタが設けられ、前記ユニット本体部には、前記本体側壁状部が突出する向きに開口され、前記一のコネクタとの嵌合状態で、プリンタ本体側からの前記制御信号が、前記モータへと導通される他のコネクタが設けられることを特徴とする。
請求項３に係るプリンタのオプションユニットは、請求項２に係るプリンタのオプションユニットにおいて、前記基端側壁状部が、２条並行して形成されると共に、前記一のコネクタが、前記基端側壁状部の２つの内側面の間に設けられ、前記本体側壁状部が、前記基端側壁状部の２つの内側面の間に差し込まれるように形成されると共に、前記他のコネクタが、該本体側壁状部が断続された位置に設けられることを特徴とする。
請求項４に係るプリンタのオプションユニットは、請求項１乃至請求項３のいずれか一項に係るプリンタのオプションユニットにおいて、前記ユニット基端部は、前記ユニット本体部が外方へと回転可能に、プリンタ本体側に支持されることを特徴とする。
請求項５に係るプリンタは、請求項１乃至請求項４のいずれか一項に係るプリンタのオプションユニットを備えたことを特徴とする。
【発明の効果】
【０００８】
本発明によると、オプションユニットのユニット本体部とユニット基端部とが、これらを挿通するネジ部材等の固着部材により固着され、その構造上、従来のように摺動部分を大きく設ける必要がない。そのため、ユーザは、例えば印字部近傍でのジャムの発生時などに、プリンタ本体側（ユニット基端部）に対し、オプションユニット（ユニット本体部）を、破損の恐れなく、容易に着脱することができる。ユーザは、オプションユニットをプリンタ本体側から取り外すことにより、十分な作業スペースを簡便に確保することが可能である。
【発明を実施するための最良の形態】
【０００９】
以下、本発明を実施するための最良の実施の形態を、図面を参照しつつ説明する。
（最良の実施の形態）
本発明に係る最良の実施の形態であるカッタユニットを備えたプリンタにつき説明する。図１の斜視図に示すように、このプリンタ１の主要部となるプリンタ本体２には、オプションユニットの例であるカッタユニット１０が装着可能になっている。同図１には、フロントカバー１ａと、サイドカバー１ｂとが開かれた状態が表されている。プリンタ１は、熱転写方式のプリンタであり、プリンタ本体２は、同図１及び図２に示すように、ラベル供給軸３と、リボン供給軸４と、印字部５と、リボン巻取軸６とを有する。
【００１０】
ラベル供給軸３は、シール状のラベルが貼付された帯状のラベル用紙Ｌを、巻かれた状態で保持していて、リボン供給軸４は、インクリボン（カーボンリボン）Ｒを、巻かれた状態で保持している。
【００１１】
印字部５は、ラベル用紙Ｌ上のラベルに、インクリボンＲに塗布されたインクを熱転写することにより印字を行うようになっており、この印字部５は、印字ヘッド（サーマルヘッド）５ａと、プラテンローラ５ｂとを含んでいる。
【００１２】
プラテンローラ５ｂが、ラベル供給軸３から巻き戻されたラベル用紙Ｌと、リボン供給軸４から巻き戻されたリボンＲとを、ラベル用紙Ｌの上にリボンＲが重ねられた状態で、プリンタ本体２内から前方外側（図２の左側）へと向かい送りながら、印字ヘッド５ａが、所定の印字信号に基づいた印字を行う。この印字信号は、内部カバー７の内側に収納された制御部（不図示）から印字ヘッド５ａへと供給されるようになっている。印字後のラベル用紙Ｌ’は、カッタユニット１０側へと繰り出され、印字ヘッド５ａを通過したインクリボンＲ’は、リボン巻取軸６に巻き取られる。
【００１３】
カッタユニット１０は、印字後のラベル用紙Ｌ’を切断するものであり、ラベル用紙Ｌ’を切断するユニット本体部１１、及び、このユニット本体部１１を着脱可能に保持するユニット基端部１２を含んでいる。
【００１４】
ユニット本体部１１は、固定刃１１ａと、可動刃１１ｂと、モータ１１ｃとを有していて、モータ１１ｃにより駆動される可動刃（カッタ）１１ｂが、固定刃１１ａ側へと移動することにより、その間に挟まれるラベル用紙Ｌ’が切断される。切断後のラベル用紙Ｌ’は、用紙排出口Ｍから排出される。（さらに、フロントカバー１ａに設けられた排出口から、この用紙Ｌ’が排出されてくる。）このモータ１１ｃへは、内部カバー７内の制御部から、端子７ａ（図１）を介して、モータ１１ｃの駆動を制御するための制御信号が送出されてくるようになっている（後述）。
【００１５】
本カッタユニット１０の主な特徴は、（１）ユニット本体部１１が、プリンタ本体２側にネジ止めされるようになっていて、プリンタ１でのジャムの発生時などにそのネジ止めを外すことにより、カッタユニット１０が外方へと回転可能になっている点と、（２）ユニット本体部１１が、ユニット基端部１２にネジ止めされるようになっていて、ユニット本体部１１が、ユニット基端部１２から着脱自在になっている点である。以下、これらの特徴につき順に説明する。
【００１６】
（１）カッタユニット１０は、図３に示すように、前方外側へと回転可能に、プリンタ本体２に支持されている。即ち、カッタユニット１０のユニット基端部１２には、図４のように、プリンタ本体２の左右方向（図４の左上から右下へと向かう方向）へと貫通する貫通孔１２ａが形成されていて、この貫通孔１２ａに、支持軸１２ｂが挿入される。この支持軸１２ｂは、プリンタ本体２の前方下端の左右両端部に取り付けられる取り付け部１３ａ，ｂにより、回転可能に支持される。つまり、この取り付け部１３ａ，ｂの後方の一端は、プリンタ本体２の前方下端の左右両端部にネジ等で固着されるようになっていて、その前方へと突出した他端は、支持軸１２ｂを回転可能に保持するようになっている。
【００１７】
カッタユニット１０の作動時には、ネジ部材１４によって、ユニット本体部１１がプリンタ本体２側に固定されている。即ち、ユニット本体部１１には、挿通孔１１ｄが形成されており、ネジ部材１４は、この挿通孔１１ｄを挿通して、プリンタ本体２の内部カバー７に形成されたネジ穴７ｂ（図３）内で螺合するようになっている。（ネジ部材１４は、ユニット本体部１１と、プリンタ本体２側とを固着する固着部材の例である。）
【００１８】
ユーザは、カッタユニット１０の作動停止時には、そのネジ部材１４をネジ穴７ｂから外して、ユニット本体部１１の上部中央付近が、印字部５に近接した位置から前方へと（印字部５から離間した位置へと）倒れるように、カッタユニット１０（ユニット本体部１１）を回転させることができる。ユニット本体部１１には、取っ手１１ｅが設けられており、この取っ手１１ｅは、ユーザが、カッタユニット１０を引き倒し、カッタユニット１０を前方へと回転させることをより容易にしている。
【００１９】
このカッタユニット１０の前方への回転によって、印字ヘッド５ａとプラテンローラ５ｂとの間にラベル用紙ＬとインクリボンＲとが挟み込まれた印字部５の前部が、前方へと露出した状態になる。この状態では、例えば、印字部５とカッタユニット１０との間で、ジャムが発生した場合に、ユーザは、そのジャムを解消することができる。また、例えば、印字部５による印字発行をテストする場合に、ユーザは、目視によりそのテストの進行を確認することができる。
【００２０】
ここでは、カッタユニット１０は、ネジ部材１４によるネジ止めによりプリンタ本体２側に固定されており、ユーザは、カッタユニット１０を、プリンタ本体２側から容易に引き離して、印字部５の前面を前方へと露出させることができる。そのため、ユーザは、ジャムの解消、印字発行のテスト等の作業を行う際、これらの作業に迅速に取り掛かることが可能である。また、カッタユニット１０のプリンタ本体２側への取り付けも容易であるので、ユーザは、それらの作業を終えた後、カッタユニット１０をカット動作可能な状態に、簡単に復帰させることが可能である。
【００２１】
（２）カッタユニット１０のユニット本体部１１は、ユニット基端部１２と着脱自在に、ユニット基端部１２に固着されるようになっている。これをより詳細に説明すると、図４のように、ユニット基端部１２に、２条の基端側壁状部１２ｃ，ｄが並行して形成されている。これら基端側壁状部１２ｃ，ｄは、ユニット基端部１２の上面から上方へと突出し、プリンタ１の左右方向（支持軸１２ｂの延びる方向）に延在している。また、ユニット本体部１１には、本体側壁状部１１ｆが形成されている。この本体側壁状部１１ｆは、ユニット本体部１１の下面から下方へと突出しており、基端側壁状部１２ｃ，ｄの２つの内側面Ｓ１，Ｓ２の間に差し込まれるように延在している。
【００２２】
その差し込まれた状態では、基端側壁状部１２ｃの内側面Ｓ１と、本体側壁状部１１ｆの内側面Ｓ１に対向する一の側面とが接触し、基端側壁状部１２ｄの内側面Ｓ２と、本体側壁状部１１ｆの内側面Ｓ２に対向する他の側面とが接触する。
【００２３】
そして、基端側壁状部１２ｃには、ネジ穴１２ｅが設けられていて、基端側壁状部１２ｄに、ネジ穴１２ｆが設けられている。本体側壁状部１１ｆには、ネジ穴１１ｇが設けられている。基端側壁状部１２ｃ，ｄの間に本体側壁状部１１ｆが差し込まれた状態で、ネジ部材１５が、基端側壁状部１２ｃのネジ穴１２ｅ、本体側壁状部１１ｆのネジ穴１１ｇ、及び、基端側壁状部１２ｄのネジ穴１２ｆを順に挿通して、ネジ穴１２ｆ（及びネジ穴１１ｇ）内で螺合するようになっている。（ネジ部材１５は、ユニット本体部１１と、ユニット基端部１２とを固着する固着部材の例である。）
【００２４】
このように、ユニット本体部１１は、ネジ部材１５によるネジ止めによって、ユニット基端部１２に固着されるので、例えば、ジャムの解消、印字発行のテストの際に、作業スペースの関係から、ユーザが、カッタユニット１０を取り外したいときに、容易に簡便に、その取り外しを行うことが可能となっている。ユーザが、プリンタ１を、カッタユニット１０が取り外された状態から、通常のカット動作可能な状態に復帰させることも簡単である。
【００２５】
従来のプリンタと比較すると、カッタユニットとプリンタ本体との摺動部分は僅かであるため、カッタユニットをプリンタ本体から取り外す際に、カッタユニットがその摺動部分の近傍で破損するといった不都合が生じ難くなっている。
【００２６】
加えて、このようなユニット本体部１１のユニット基端部１２への差し込みと同時に、ユニット本体部１１と、ユニット基端部１２とが、電気的に接続されるようになっている。即ち、ユニット基端部１２は、図４及び図５（ａ）、（ｂ）のように、オスコネクタ１６を有しており、ユニット本体部１１は、図４及び図６に示すように、メスコネクタ１８を有している。（図５（ａ）は、ユニット基端部１２の縦断面図であり、図５（ｂ）は、ユニット基端部１２の側面図である。）
【００２７】
オスコネクタ１６（図５（ｂ）等）は、基端側壁状部１２ｃ，ｄの２つの内側面Ｓ１，Ｓ２の間（谷間）に設けられており、基端側壁状部１２ｃ，ｄが突出する向きに開口している。オスコネクタ１６は、ケーブル１７ａにより端子１７ｂと導通している。この端子１７ｂは、プリンタ本体２の制御部からの端子７ａ（図１）に嵌合され接続されるようになっている。
【００２８】
一方、メスコネクタ１８（図６等）は、本体側壁状部１１ｆが断続された位置に、本体側壁状部１１ｆが突出する向きに開口している。メスコネクタ１８は、ユニット基端部１２のオスコネクタ１６と嵌合可能になっていて、ユニット本体部１１の本体側壁状部１１ｆが、ユニット基端部１２の基端側壁状部１２ｃ，ｄの間に差し込まれるのに伴い、オスコネクタ１６と、メスコネクタ１８とが嵌合する。
【００２９】
オスコネクタ１６と、メスコネクタ１８との間で導通される電圧信号には、モータ１１ｃを制御する制御信号が含まれる。この他に、モータ１１ｃがエラー状態にあることを示すエラー信号が含まれるものとしてもよい。さらに、カッタユニット１０内に、可動刃１１ｂが上端側にあるか、下端側にあるか等の位置を検出するセンサを設けて、オスコネクタ１６と、メスコネクタ１８との間で導通される電圧信号に、これらのセンサへの電源、センサからの検出信号を含めることもできる。
【００３０】
そして、オスコネクタ１６の左右両端にそれぞれ近接した位置には、位置決め突起１９ａ，ｂ（図４）が設けられ、メスコネクタ１８の左右両端にそれぞれ近接した位置には、位置決め突起１９ａ，ｂのそれぞれが挿入可能な挿入隙間２０ａ，ｂが設けられている。これら位置決め突起１９ａ，ｂ及び挿入隙間２０ａ，ｂによって、ユーザは、ユニット基端部１２に対してユニット本体部１１の左右方向への位置決めを容易に行い、オスコネクタ１６と、メスコネクタ１８とを円滑に嵌合させることが可能になる。
【００３１】
カッタユニット１０に向かって、位置決め突起１９ａの左端側及び位置決め突起１９ｂの右端側の先端近傍にテーパを形成する等して、位置決め突起１９ａ，ｂの先端側が基端側よりも細くなるようにしてもよい。このようにすると、ユニット基端部１２に対するユニット本体部１１の左右方向への位置決めがガイドされることになるため、ユーザは、ユニット本体部１１のユニット基端部１２への差し込みをより円滑に行うことが可能になる。位置決め突起１９ａ，ｂには、ユニット本体部１１がユニット基端部１２から取り外されている際に、オスコネクタ１６を保護する機能もある。
【００３２】
これらのオスコネクタ１６及びメスコネクタ１８によると、それらの設けられる位置から、ユーザは、ユニット本体部１１のユニット基端部１２への着脱に際して、コネクタの着脱を意識しなくてよい。
【００３３】
つまり、従来の例えば特開平１０−１００４９３号公報に開示されたプリンタでは、カッタユニットと、プリンタ本体側とを接続するケーブルは、カッタユニットの裏面側から直接延びてくるものを、プリンタ本体側（図１の端子７ａ）に接続するようになっていた。そのため、ユーザは、カッタユニットの取り外しに際して、先ず、ケーブルをプリンタ本体側から引き抜くといった作業を行っていた。このケーブルの引き抜きにあっては、ケーブルを破損させる恐れもあった。本発明のカッタユニット１０では、ユーザは、そのプリンタ本体２側との着脱時に、ケーブルの取り回しに気遣う必要がなく、ケーブルの破損も生じ難くなっている。
【００３４】
さらに、オスコネクタ１６及びメスコネクタ１８の配置によると、ユーザがフロントカバー１ａ（図１）を開いたままプリンタ１を動作させても、コネクタ間で導通される電圧信号が、ユーザの誤操作やラベル用紙の誤搬送等により、影響を受けるといったことが防がれる。
【００３５】
（他の実施の形態等）
以上、具体的な実施の形態により本発明を説明したが、本発明は、上記実施の形態に限定されず、本発明の要旨を逸脱しない範囲で変更して実施することができる。
ａ．  例えば、上記実施の形態では、ネジ部材１４（図４）により、ユニット本体部１１をプリンタ本体２側に着脱可能に固着するようにした。これに代えて、図７のように、ユニット本体部１１の裏面中央部等にフック２１を設け、このフック２１を、プリンタ本体２側に設けられた係止突起２２に係止させるようにしてもよい。この場合、ユニット本体部１１は、ネジ部材１４等によるよりも、より簡便に、プリンタ本体２側に固着されることになる。
【００３６】
ｂ．  また、ネジ部材１５、ネジ穴１２ｅ，ｆ及びネジ穴１１ｇにより、ユニット本体部１１をユニット基端部１２に着脱可能に固着した。これと異なり、一端に、頭部を有し、他端側に、ネジ穴１１ｇと同様に形成されたピン穴の縁部に係止する係止部を有したピン等を用いて、ユニット本体部１１とユニット基端部１２とを固着させてもよい。このピンは、他端側で折り返されるように形成して、ここにいう係止部は、その折り返し後のピンの一部で、直径方向に収縮可能になったもの等であってよい。このようなピンを、ネジ部材１４に代えて用いるようにしてもよい。
【００３７】
ｃ．  ユニット基端部１２は、貫通孔１２ａ、支持軸１２ｂ、取り付け部１３ａ，ｂによりプリンタ本体２側に回転可能に支持されるものとした。これに代え、一つの蝶番、又は、プリンタ本体２の左右方向に並んだ複数の蝶番を用いて、ユニット基端部１２をプリンタ本体２側に回転可能に支持することが可能である。
【００３８】
ｄ．  印字媒体には、ラベル用紙を用いたが、印字媒体は、下げ札、荷札等の用紙であってもよく、ＩＣタグが埋め込まれたもの等であってもよい。
【００３９】
ｅ．  固定刃１１ａ、可動刃１１ｂのカッタは、直線状に延びる刃先を有することを想定した。カッタは、円周上に刃先を有し所定のレールの上を走らせることで用紙を切断するサークルカッタ、又は、円柱の側面にその軸に沿って延びる刃先を有し固定刃との間で用紙を切断するロータリカッタ等であってもよい。
【００４０】
ｆ．  ユニット本体部１１から１条の壁状部が突出し、これを挟むように、ユニット基端部１２から２条の壁状部が突出するものとした。ユニット基端部１２側から突出する壁状部は、１条であってもよい。また、ユニット基端部１２から１条の壁状部を突出させ、これを挟むように、ユニット本体部１１から２条の壁状部を突出させてもよい。ただ、固定的に保持されるユニット基端部１２のコネクタ（特にコネクタがオスコネクタである場合）を保護するために、２条の壁状部の間にコネクタを設けることがより好ましい。
【００４１】
ｇ．  オプションユニットの例としてカッタユニット１０を挙げ、このカッタユニット１０の印字後の印字媒体に対する処理が、印字後のラベル用紙Ｌ’の切断であるものとした。これとは異なり、プリンタ内部（閉じられたフロントカバー１ａの内側）で、カッティング前の帯状のラベル用紙を、自動的に巻き取る内部巻き取りユニット、ラベルをラベル用紙（台紙）上から自動的に剥離する剥離ユニット等のオプションユニットについても、本発明を適用することが可能である。
【００４２】
ｈ．  当然ながら、プリンタは、熱転写方式でなく、感熱式、インクジェット方式、レーザー方式等の他の方式で印字するものであってもよい。プリンタは、印字を行うとともに、用紙に埋め込まれたＩＣタグにデータの書き込みを行えるもの等であってもよい。
【図面の簡単な説明】
【００４３】
【図１】本発明の実施の形態に係るプリンタの斜視図
【図２】プリンタの動作を説明するための模式図
【図３】カッタユニットの開閉を説明するための図
【図４】カッタユニットの分解斜視図
【図５】ユニット基端側のオスコネクタを示す図
【図６】ユニット本体側のメスコネクタを示す図
【図７】他の実施の形態に係るカッタユニットの断面図
【符号の説明】
【００４４】
１                プリンタ
１ａ              フロントカバー
１ｂ              サイドカバー
２                プリンタ本体
３                ラベル供給軸
４                リボン供給軸
５                印字部
５ａ              印字ヘッド
５ｂ              プラテンローラ
６                リボン巻取軸
７                内部カバー
７ａ              制御部からの端子
７ｂ              内部カバーに設けられたネジ穴
１０              カッタユニット
１１              ユニット本体部
１１ａ            固定刃
１１ｂ            可動刃
１１ｃ            モータ
１１ｄ            挿通孔
１１ｅ            取っ手
１１ｆ            本体側壁状部
１１ｇ            本体側壁状部のネジ穴
１２              ユニット基端部
１２ａ            貫通孔
１２ｂ            支持軸
１２ｃ，１２ｄ    基端側壁状部
１２ｅ，１２ｆ    基端側壁状部のネジ穴
１３ａ，１３ｂ    取り付け部
１４              カッタユニットをプリンタ本体側に固着するネジ部材
１５              ユニット本体部をユニット基端部に固着するネジ部材
１６              ユニット基端部のオスコネクタ
１７ａ            ケーブル
１７ｂ            メスコネクタと導通する端子
１８              ユニット本体部のメスコネクタ
１９ａ，１９ｂ    位置決め突起
２０ａ，２０ｂ    挿入隙間
２１              フック
２２              係止突起
【図１】
0004971103.tif 000002
【図２】
0004971103.tif 000003
【図３】
0004971103.tif 000004
【図４】
0004971103.tif 000005
【図５】
0004971103.tif 000006
【図６】
0004971103.tif 000007
【図７】
0004971103.tif 000008